(57)【要約】【課題】車両用灯具のレベリングアクチュエータの寿命短縮を軽減させる技術を提供する。【解決手段】本発明のある態様の車両用灯具の制御装置は、水平面に対する車両３００の傾斜角度を導出可能な加速度センサ１１０の検出値を受信するための受信部１０２と、車両停止中の傾斜角度の変化に対して車両用灯具の光軸位置の調節を指示する調節信号を出力し、車両走行中の傾斜角度の変化に対して調節信号の出力を回避するか光軸位置の維持を指示する維持信号を出力し、走行中の車両３００の加速時及び減速時の少なくとも一方における、車両前後方向の加速度の変化量と車両上下方向の加速度の変化量との比率を用いて光軸位置を補正する調節信号を生成するための制御部１０４と、補正の回数増加を抑制する補正制限部１１２とを備える。【選択図】図２
2014100979.tif 000002
【特許請求の範囲】
【請求項１】
水平面に対する車両の傾斜角度を導出可能な加速度センサの検出値を受信するための受信部と、
車両停止中の前記傾斜角度の変化に対して車両用灯具の光軸位置の調節を指示する調節信号を出力し、車両走行中の前記傾斜角度の変化に対して前記調節信号の出力を回避するか光軸位置の維持を指示する維持信号を出力し、走行中の車両の加速時及び減速時の少なくとも一方における、車両前後方向の加速度の変化量と車両上下方向の加速度の変化量との比率を用いて光軸位置を補正する調節信号を生成するための制御部と、
前記補正の回数増加を抑制する補正制限部と、
を備えることを特徴とする車両用灯具の制御装置。
【請求項２】
前記補正制限部は、車両の走行時間が所定の補正禁止時間を経過するまで前記補正を禁止する請求項１に記載の制御装置。
【請求項３】
前記補正制限部は、補正回数の増加に応じて前記補正禁止時間の長さを延ばす請求項２に記載の制御装置。
【請求項４】
水平面に対する車両の傾斜角度を合計角度と呼ぶとき、この合計角度には水平面に対する路面の傾斜角度である路面角度と、路面に対する車両の傾斜角度である車両姿勢角度とが含まれ、
前記制御部は、前記路面角度の基準値と前記車両姿勢角度の基準値とを保持し、
車両停止中の前記合計角度の変化に対して、加速度センサの検出値と前記路面角度の基準値とから得られる車両姿勢角度を用いて前記調節信号を生成し、得られる車両姿勢角度を基準値として保持し、
車両走行中の前記合計角度の変化に対して、前記調節信号の出力を回避するか前記維持信号を出力し、加速度センサの検出値と前記車両姿勢角度の基準値とから得られる路面角度を基準値として保持し、
車両前後方向の加速度を第１軸に設定し車両上下方向の加速度を第２軸に設定した座標に、車両の加速時及び減速時の少なくとも一方における加速度センサの検出値をプロットし、少なくとも２点から得られる直線又はベクトルの傾きを前記比率として、前記補正を実行する請求項１乃至３のいずれか１項に記載の制御装置。
【請求項５】
前記補正制限部は、プロットされる前記検出値の数が所定の補正許可数になるまで前記補正を禁止する請求項４に記載の制御装置。
【請求項６】
前記補正制限部は、補正回数の増加に応じて前記補正許可数を増加させる請求項５に記載の制御装置。
【請求項７】
前記補正制限部は、前記検出値の数が前記補正許可数になっても前記補正を回避する補正回避制御を実行し、
前記補正回避制御は、前回の前記補正の実行後から前記検出値の数が前記補正許可数になった回数が、所定の解除回数になるまで実行され、
前記補正制限部は、補正回数の増加に応じて前記解除回数を増加させる請求項５に記載の制御装置。
【請求項８】
光軸を調節可能な車両用灯具と、
加速度センサと、
前記車両用灯具の光軸調節を制御するための制御装置と、を備え、
前記制御装置は、
水平面に対する車両の傾斜角度を導出可能な加速度センサの検出値を受信するための受信部と、
車両停止中の前記傾斜角度の変化に対して車両用灯具の光軸位置の調節を指示する調節信号を出力し、車両走行中の前記傾斜角度の変化に対して前記調節信号の出力を回避するか光軸位置の維持を指示する維持信号を出力し、走行中の車両の加速時及び減速時の少なくとも一方における、車両前後方向の加速度の変化量と車両上下方向の加速度の変化量との比率を用いて光軸位置を補正する調節信号を生成するための制御部と、
前記補正の回数増加を抑制する補正制限部と、
を備えることを特徴とする車両用灯具システム。
【発明の詳細な説明】
【技術分野】
【０００１】
本発明は、車両用灯具の制御装置及び車両用灯具システムに関し、特に自動車などに用いられる車両用灯具の制御装置及び車両用灯具システムに関する。
【背景技術】
【０００２】
従来、車両の傾斜角度に応じて車両用前照灯の光軸位置を自動的に調節して、前照灯の照射方向を変化させるオートレベリング制御が知られている。一般にオートレベリング制御では、車高センサの出力値から導出される車両のピッチ角度に基づいて前照灯の光軸位置が調節される。これに対し、特許文献１及び２には、加速度センサ等の傾斜センサを用いてオートレベリング制御を実施する車両用灯具の制御装置が開示されている。
【先行技術文献】
【特許文献】
【０００３】
【特許文献１】特開２０１２−０３０７８２号公報
【特許文献２】特開２０１２−０３０７８３号公報
【発明の概要】
【発明が解決しようとする課題】
【０００４】
加速度センサ、ジャイロセンサ（角速度センサ、角加速度センサ）や地磁気センサ等の傾斜センサを用いた場合、車高センサを用いた場合に比べてオートレベリングシステムをより安価にすることができ、また軽量化を図ることもできる。その結果、車両の低コスト化及び軽量化を図ることができる。
【０００５】
本発明者らは、加速度センサ等の傾斜センサを用いたオートレベリングシステムについて鋭意研究を重ねた結果、オートレベリング制御の実施によりレベリングアクチュエータの寿命が著しく短くなるおそれがあることを見出した。
【０００６】
本発明はこうした状況に鑑みてなされたものであり、その目的は、車両用灯具のレベリングアクチュエータの寿命短縮を軽減させる技術を提供することにある。
【課題を解決するための手段】
【０００７】
上記課題を解決するために、本発明のある態様は車両用灯具の制御装置である。当該制御装置は、水平面に対する車両の傾斜角度を導出可能な加速度センサの検出値を受信するための受信部と、車両停止中の前記傾斜角度の変化に対して車両用灯具の光軸位置の調節を指示する調節信号を出力し、車両走行中の前記傾斜角度の変化に対して前記調節信号の出力を回避するか光軸位置の維持を指示する維持信号を出力し、走行中の車両の加速時及び減速時の少なくとも一方における、車両前後方向の加速度の変化量と車両上下方向の加速度の変化量との比率を用いて光軸位置を補正する調節信号を生成するための制御部と、前記補正の回数増加を抑制する補正制限部と、を備えることを特徴とする。この態様の制御装置によれば、車両用灯具のレベリングアクチュエータの寿命短縮を軽減させることができる。
【０００８】
上記態様において、前記補正制限部は、車両の走行時間が所定の補正禁止時間を経過するまで前記補正を禁止してもよい。また、上記態様において、前記補正制限部は、補正回数の増加に応じて前記補正禁止時間の長さを延ばしてもよい。これによれば、レベリングアクチュエータの寿命短縮をより軽減させることができる。
【０００９】
また、上記いずれかの態様において、水平面に対する車両の傾斜角度を合計角度と呼ぶとき、この合計角度には水平面に対する路面の傾斜角度である路面角度と、路面に対する車両の傾斜角度である車両姿勢角度とが含まれ、前記制御部は、前記路面角度の基準値と前記車両姿勢角度の基準値とを保持し、車両停止中の前記合計角度の変化に対して、加速度センサの検出値と前記路面角度の基準値とから得られる車両姿勢角度を用いて前記調節信号を生成し、得られる車両姿勢角度を基準値として保持し、車両走行中の前記合計角度の変化に対して、前記調節信号の出力を回避するか前記維持信号を出力し、加速度センサの検出値と前記車両姿勢角度の基準値とから得られる路面角度を基準値として保持し、車両前後方向の加速度を第１軸に設定し車両上下方向の加速度を第２軸に設定した座標に、車両の加速時及び減速時の少なくとも一方における加速度センサの検出値をプロットし、少なくとも２点から得られる直線又はベクトルの傾きを前記比率として、前記補正を実行してもよい。
【００１０】
また、上記態様において、前記補正制限部は、プロットされる前記検出値の数が所定の補正許可数になるまで前記補正を禁止してもよい。また、上記態様において、前記補正制限部は、補正回数の増加に応じて前記補正許可数を増加させてもよい。これによれば、レベリングアクチュエータの寿命短縮をより軽減させることができる。また、上記態様において、前記補正制限部は、前記検出値の数が前記補正許可数になっても前記補正を回避する補正回避制御を実行し、前記補正回避制御は、前回の前記補正の実行後から前記検出値の数が前記補正許可数になった回数が、所定の解除回数になるまで実行され、前記補正制限部は、補正回数の増加に応じて前記解除回数を増加させてもよい。これによれば、レベリングアクチュエータの寿命短縮をより軽減させることができる。
【００１１】
本発明の他の態様は車両用灯具システムである。当該車両用灯具システムは、光軸を調節可能な車両用灯具と、加速度センサと、前記車両用灯具の光軸調節を制御するための制御装置と、を備える。そして、前記制御装置は、水平面に対する車両の傾斜角度を導出可能な加速度センサの検出値を受信するための受信部と、車両停止中の前記傾斜角度の変化に対して車両用灯具の光軸位置の調節を指示する調節信号を出力し、車両走行中の前記傾斜角度の変化に対して前記調節信号の出力を回避するか光軸位置の維持を指示する維持信号を出力し、走行中の車両の加速時及び減速時の少なくとも一方における、車両前後方向の加速度の変化量と車両上下方向の加速度の変化量との比率を用いて光軸位置を補正する調節信号を生成するための制御部と、前記補正の回数増加を抑制する補正制限部と、を備える。
【００１２】
なお、上述した各要素を適宜組み合わせたものも、本件特許出願によって特許による保護を求める発明の範囲に含まれうる。
【発明の効果】
【００１３】
本発明によれば、車両用灯具のレベリングアクチュエータの寿命短縮を軽減させる技術を提供することができる。
【図面の簡単な説明】
【００１４】
【図１】実施形態１に係る制御装置の制御対象である車両用灯具を含む前照灯ユニットの概略鉛直断面図である。
【図２】前照灯ユニット、車両制御ＥＣＵ及びレベリングＥＣＵの動作連携を説明する機能ブロック図である。
【図３】車両に生じる加速度ベクトルと、傾斜センサで検出可能な車両の傾斜角度を説明するための模式図である。
【図４】図４（Ａ）及び図４（Ｂ）は、車両の運動加速度ベクトルの方向と車両姿勢角度との関係を説明するための模式図である。
【図５】車両前後方向の加速度と車両上下方向の加速度の関係を示すグラフである。
【図６】図６（Ａ）は、車両走行中の車速の時間変化を模式的に示すタイミングチャートである。図６（Ｂ）は、図６（Ａ）の車速の変化に対応する、座標へプロットされる検出値数の時間変化を模式的に示すタイミングチャートである。
【図７】実施形態１に係る車両用灯具の制御装置により実行されるオートレベリング制御のフローチャートである。
【図８】図８（Ａ）は、実施形態２に係る車両用灯具の制御装置における、車両走行中の車速の時間変化を模式的に示すタイミングチャートである。図８（Ｂ）は、図８（Ａ）の車速の変化に対応する、座標へプロットされる検出値数の時間変化を模式的に示すタイミングチャートである。図８（Ｃ）は、実施形態２の変形例に係る車両用灯具の制御装置における、図８（Ａ）の車速の変化に対応する、座標へプロットされる検出値数の時間変化を模式的に示すタイミングチャートである。
【発明を実施するための形態】
【００１５】
以下、本発明を好適な実施の形態をもとに図面を参照しながら説明する。各図面に示される同一又は同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１６】
（実施形態１）
図１は、実施形態１に係る制御装置の制御対象である車両用灯具を含む前照灯ユニットの概略鉛直断面図である。前照灯ユニット２１０は、左右対称に形成された一対の前照灯ユニットが車両の車幅方向の左右に１つずつ配置された構造である。右側の前照灯ユニット２１０Ｒ及び左側の前照灯ユニット２１０Ｌは実質的に同一の構成であるため、以下では、右側の前照灯ユニット２１０Ｒの構造を説明する。前照灯ユニット２１０Ｒは、車両前方側に開口部を有するランプボディ２１２と、この開口部を覆う透光カバー２１４とを有する。ランプボディ２１２は、車両後方側に着脱カバー２１２ａを有する。ランプボディ２１２と透光カバー２１４とによって灯室２１６が形成されている。灯室２１６には車両用灯具としての灯具ユニット１０が収納されている。
【００１７】
灯具ユニット１０には、灯具ユニット１０の上下左右方向の揺動中心となるピボット機構２１８ａを有するランプブラケット２１８が形成されている。ランプブラケット２１８は、ランプボディ２１２に支持されたエイミング調整ネジ２２０と螺合している。灯具ユニット１０の下面には、スイブルアクチュエータ２２２の回転軸２２２ａが固定されている。スイブルアクチュエータ２２２は、ユニットブラケット２２４に固定されている。ユニットブラケット２２４には、レベリングアクチュエータ２２６が接続されている。レベリングアクチュエータ２２６は、例えばロッド２２６ａを矢印Ｍ，Ｎ方向に伸縮させるモータなどで構成されている。灯具ユニット１０は、ロッド２２６ａが矢印Ｍ，Ｎ方向に伸縮することで後傾姿勢、前傾姿勢となり、これにより光軸Ｏのピッチ角度を下方、上方に向けるレベリング調整ができる。
【００１８】
灯具ユニット１０は、回転シェード１２を含むシェード機構１８、光源１４、リフレクタ１６を内壁に支持する灯具ハウジング１７、及び投影レンズ２０を備える。光源１４は、白熱球やハロゲンランプ、放電球、ＬＥＤなどが使用可能である。リフレクタ１６は、少なくとも一部が楕円球面状であり、光源１４から放射された光を反射する。光源１４からの光及びリフレクタ１６で反射した光は、一部が回転シェード１２を経て投影レンズ２０へと導かれる。回転シェード１２は、回転軸１２ａを中心に回転可能な円筒部材であり、切欠部と複数のシェードプレート（図示せず）とを備える。切欠部又はシェードプレートのいずれかが光軸Ｏ上に移動されて、所定の配光パターンが形成される。投影レンズ２０は、平凸非球面レンズからなり、後方焦点面上に形成される光源像を反転像として灯具前方の仮想鉛直スクリーン上に投影する。
【００１９】
図２は、前照灯ユニット、車両制御ＥＣＵ及びレベリングＥＣＵの動作連携を説明する機能ブロック図である。なお、図２では前照灯ユニット２１０Ｒ及び前照灯ユニット２１０Ｌをまとめて前照灯ユニット２１０としている。また、レベリングＥＣＵ１００は、ハードウェア構成としてはコンピュータのＣＰＵやメモリをはじめとする素子や回路で実現され、ソフトウェア構成としてはコンピュータプログラム等によって実現されるが、図２ではそれらの連携によって実現される機能ブロックとして描いている。したがって、これらの機能ブロックはハードウェア、ソフトウェアの組合せによっていろいろなかたちで実現できることは、当業者には理解されるところである。
【００２０】
車両用灯具の制御装置としてのレベリングＥＣＵ１００は、受信部１０２、制御部１０４、送信部１０６、メモリ１０８、加速度センサ１１０及び補正制限部１１２を備える。レベリングＥＣＵ１００は、例えば車両３００のダッシュボード付近に設置される。なお、レベリングＥＣＵ１００の設置位置は特に限定されず、例えば前照灯ユニット２１０内に設けられてもよい。また、加速度センサ１１０は、レベリングＥＣＵ１００の外に設けられてもよい。レベリングＥＣＵ１００には、車両制御ＥＣＵ３０２やライトスイッチ３０４が接続されている。車両制御ＥＣＵ３０２やライトスイッチ３０４から出力される信号は、受信部１０２によって受信される。また、受信部１０２は、加速度センサ１１０の検出値を受信する。
【００２１】
車両制御ＥＣＵ３０２には、ステアリングセンサ３１０、車速センサ３１２、ナビゲーションシステム３１４等が接続されている。これらのセンサから出力された信号は、車両制御ＥＣＵ３０２を介してレベリングＥＣＵ１００の受信部１０２によって受信される。ライトスイッチ３０４は、運転者の操作内容に応じて、前照灯ユニット２１０の点消灯を指示する信号やオートレベリング制御の実行を指示する信号等を、電源３０６、車両制御ＥＣＵ３０２、レベリングＥＣＵ１００等に送信する。
【００２２】
受信部１０２が受信した信号は、制御部１０４に送信される。制御部１０４は、加速度センサ１１０の検出値を用いて、灯具ユニット１０の光軸Ｏを制御する。制御部１０４は、角度演算部１０４１及び調節指示部１０４２を有する。角度演算部１０４１は、加速度センサ１１０の検出値と必要に応じてメモリ１０８が保持する情報を用いて車両３００のピッチ角度情報を生成する。調節指示部１０４２は、角度演算部１０４１で生成されたピッチ角度情報を用いて灯具ユニット１０の光軸位置の調節を指示する調節信号を生成する。
【００２３】
制御部１０４は、調節指示部１０４２で生成した調節信号を送信部１０６を介してレベリングアクチュエータ２２６に出力する。レベリングアクチュエータ２２６は、受信した調節信号をもとに駆動し、灯具ユニット１０の光軸Ｏがピッチ角度方向について調整される。制御部１０４が行うオートレベリング制御の内容、及び補正制限部１１２の動作については、後に詳細に説明する。
【００２４】
車両３００には、レベリングＥＣＵ１００、車両制御ＥＣＵ３０２及び前照灯ユニット２１０に電力を供給する電源３０６が搭載されている。ライトスイッチ３０４の操作により前照灯ユニット２１０の点灯が指示されると、電源３０６から電源回路２３０を介して光源１４に電力が供給される。
【００２５】
続いて、上述の構成を備えるレベリングＥＣＵ１００によるオートレベリング制御について詳細に説明する。図３は、車両に生じる加速度ベクトルと、傾斜センサで検出可能な車両の傾斜角度を説明するための模式図である。図４（Ａ）及び図４（Ｂ）は、車両の運動加速度ベクトルの方向と車両姿勢角度との関係を説明するための模式図である。図４（Ａ）は、車両姿勢角度θｖが変化していない状態を示し、図４（Ｂ）は、車両姿勢角度θｖが変化している状態を示している。また、図４（Ａ）及び図４（Ｂ）において、車両３００が前進したときに生じる運動加速度ベクトルα及び合成加速度ベクトルβを実線矢印で示し、車両３００が減速若しくは後進したときに生じる運動加速度ベクトルα及び合成加速度ベクトルβを破線矢印で示している。図５は、車両前後方向の加速度と車両上下方向の加速度の関係を示すグラフである。
【００２６】
例えば、車両後部の荷室に荷物が載せられたり後部座席に乗員がいる場合、車両姿勢は後傾姿勢となり、荷室から荷物が下ろされたり後部座席の乗員が下車した場合、車両姿勢は後傾姿勢の状態から前傾する。車両が後傾姿勢あるいは前傾姿勢になると、灯具ユニット１０の照射方向も上下に変動し、前方照射距離が長くなったり短くなったりする。そこで、レベリングＥＣＵ１００は、加速度センサ１１０の検出値から車両のピッチ方向の傾斜角度又はその変化を導出し、光軸Ｏのピッチ角度（以下では適宜、この角度を光軸角度θｏという）を車両姿勢に応じた角度とする。車両姿勢に基づき灯具ユニット１０のレベリング調整をリアルタイムで行うオートレベリング制御を実施することで、車両姿勢が変化しても前方照射の到達距離を最適に調節することができる。
【００２７】
加速度センサ１１０は、例えば互いに直交するＸ軸、Ｙ軸、Ｚ軸を有する３軸加速度センサである。加速度センサ１１０は、任意の姿勢で車両３００に取り付けられ、車両３００に生じる加速度ベクトルを検出する。走行中の車両３００には、重力加速度と車両３００の移動により生じる運動加速度とが生じる。そのため、加速度センサ１１０は、図３に示すように、重力加速度ベクトルＧと運動加速度ベクトルαとが合成された合成加速度ベクトルβを検出することができる。また、車両３００の停止中、加速度センサ１１０は、重力加速度ベクトルＧを検出することができる。加速度センサ１１０は、検出した加速度ベクトルの各軸成分の数値を出力する。加速度センサ１１０から出力されるＸ軸、Ｙ軸、Ｚ軸の各成分の数値は、制御部１０４によって車両の前後軸、左右軸、上下軸の成分に変換される。したがって、加速度センサ１１０の検出値からは、車両前後方向、車両左右方向及び車両上下方向の加速度を導出可能である。
【００２８】
車両停止中の加速度センサ１１０の検出値からは、重力加速度ベクトルＧに対する車両３００の傾きを導出することができる。すなわち、加速度センサ１１０の検出値から、水平面に対する路面の傾斜角度である路面角度θｒと、路面に対する車両の傾斜角度である車両姿勢角度θｖとが含まれる、水平面に対する車両の傾斜角度である合計角度θを導出可能である。なお、路面角度θｒ、車両姿勢角度θｖ及び合計角度θは、車両３００のピッチ方向の角度である。
【００２９】
これに対し、オートレベリング制御は、車両のピッチ方向の傾斜角度の変化にともなう車両用灯具の前方照射距離の変化を吸収して、照射光の前方到達距離を最適に保つことを目的とするものである。したがって、オートレベリング制御に必要とされる車両の傾斜角度は、車両姿勢角度θｖである。すなわち、オートレベリング制御では、車両姿勢角度θｖが変化した場合に灯具ユニット１０の光軸位置が調節され、路面角度θｒが変化した場合に灯具ユニット１０の光軸位置が維持されることが望まれる。これを実現するためには、加速度センサ１１０から得られる合計角度θから、車両姿勢角度θｖについての情報を抽出する必要がある。
【００３０】
ここで、車両３００は路面に対して平行に移動する。よって、運動加速度ベクトルαは、車両姿勢角度θｖによらず路面に対して平行なベクトルとなる。また、図４（Ａ）に示すように、車両３００の車両姿勢角度θｖが０°であった場合、理論上は加速度センサ１１０のＸ軸（あるいは車両３００の前後軸Ｌ）は路面に対して平行となるため、運動加速度ベクトルαは、加速度センサ１１０のＸ軸に平行なベクトルとなる。よって、車両３００の加減速によって運動加速度ベクトルαの大きさが変化した際に、加速度センサ１１０によって検出される合成加速度ベクトルβの先端の軌跡は、Ｘ軸に対して平行な直線となる。
【００３１】
一方、図４（Ｂ）に示すように、車両姿勢角度θｖが０°でない場合、加速度センサ１１０のＸ軸は路面に対して斜めにずれるため、運動加速度ベクトルαは、加速度センサ１１０のＸ軸に対して斜めに延びるベクトルとなる。よって、車両３００の加減速によって運動加速度ベクトルαの大きさが変化した際の合成加速度ベクトルβの先端の軌跡は、Ｘ軸に対して傾いた直線となる。
【００３２】
そこで、角度演算部１０４１は、走行中の車両３００の加速時及び減速時の少なくとも一方における、車両前後方向の加速度の変化量と車両上下方向の加速度の変化量との比率を算出する。すなわち、角度演算部１０４１は、図５に示すように車両前後方向の加速度を第１軸（Ｘ軸）に設定し、車両上下方向の加速度を第２軸（Ｚ軸）に設定した座標に、車両３００の加速時及び減速時の少なくとも一方における加速度センサ１１０の検出値をプロットする。この検出値のプロットは、センサ座標系の加速度値のプロットであってもよいし、車両座標系の加速度値のプロットであってもよい。
【００３３】
点ｔＡ１〜ｔＡｎは、図４（Ａ）に示す状態での時間ｔ１〜ｔｎにおける検出値である。点ｔＢ１〜ｔＢｎは、図４（Ｂ）に示す状態での時間ｔ１〜ｔｎにおける検出値である。そして、プロットした複数点（少なくとも２点）から直線を導出し、得られる直線の傾きを上述した比率として算出する。なお、当該直線はベクトルであってもよい。角度演算部１０４１は、プロットされた複数点ｔＡ１〜ｔＡｎ，ｔＢ１〜ｔＢｎに対して最小二乗法や移動平均法等を用いて直線近似式Ａ，Ｂを求め、当該直線近似式Ａ，Ｂの傾きを上述した比率として算出する。
【００３４】
車両姿勢角度θｖが０°の場合、加速度センサ１１０の検出値から、ｘ軸に平行な直線近似式Ａが得られる。すなわち、直線近似式Ａの傾きは０となる。これに対し、車両姿勢角度θｖが０°でない場合、加速度センサ１１０の検出値から、車両姿勢角度θｖに応じた傾きを有する直線近似式Ｂが得られる。直線近似式Ａと直線近似式Ｂとがなす角度（図５におけるθＡＢ）が、車両姿勢角度θｖとなる。したがって、車両３００の加減速時における車両前後方向及び車両上下方向の加速度の変化量の比率（直線の傾き）又はその変化を計測することで、加速度センサ１１０の検出値から車両姿勢角度θｖ又はその変化を知ることができる。すなわち、上述した直線の傾きから、車両姿勢角度θｖを推定可能である。そして、得られた車両姿勢角度θｖの情報を利用することで、より高精度なオートレベリング制御を実現することができる。
【００３５】
本実施形態に係るレベリングＥＣＵ１００は、上述した直線の傾きから得られる車両姿勢角度θｖについての情報を利用して、次のようなオートレベリング制御を実行する。すなわち、まず、車両メーカの製造工場等で、車両３００が水平面に置かれて基準状態とされる。そして、初期化処理装置のスイッチ操作やＣＡＮ（Controller Area Network）システムの通信等により、レベリングＥＣＵ１００に初期化信号が送信される。制御部１０４は、初期化信号を受けると初期エイミング調整を開始し、灯具ユニット１０の光軸Ｏを初期設定位置に合わせる。また、制御部１０４は、基準状態における加速度センサ１１０の出力値を、路面角度θｒの基準値（θｒ＝０°）、車両姿勢角度θｖの基準値（θｖ＝０°）としてメモリ１０８に記録する。
【００３６】
また、車両３００が基準状態を保ったまま走行させられる。そして、角度演算部１０４１は、上述した座標に加速度センサ１１０の検出値をプロットし、このプロットから直線近似式を求める。この直線近似式は、図５における直線近似式Ａに相当する。制御部１０４は、この直線近似式Ａの傾きを傾きの基準値としてメモリ１０８に記録する。
【００３７】
車両３００が実際に使用される状況において、車両走行中は積載荷量や乗車人数が増減して車両姿勢角度θｖが変化することは稀である。そのため、走行中の合計角度θの変化を路面角度θｒの変化と推定することができる。そこで、調節指示部１０４２は、車両走行中の合計角度θの変化に対して調節信号の出力を回避するか光軸位置の維持を指示する維持信号を生成して出力する。これにより、車両走行中の合計角度θの変化に対する光軸角度θｏの変位を回避する。なお、調節指示部１０４２は、調節信号を生成しないことで調節信号の出力を回避してもよいし、調節信号を生成した上で生成した調節信号の出力を回避してもよい。
【００３８】
そして車両停止時に、角度演算部１０４１が現在（車両停止時）の合計角度θから車両姿勢角度θｖの基準値を減算して路面角度θｒを得る。そして、得られた路面角度θｒを新たな基準値としてメモリ１０８に保持する。これにより、路面角度θｒの変化と推定される車両走行中の合計角度θの変化が、路面角度θｒの基準値に取り込まれる。なお、角度演算部１０４１は、車両停止時に走行前後での合計角度θの差分を算出し、この差分を路面角度θｒの基準値に算入して新たな路面角度θｒの基準値を算出してもよい。
【００３９】
前記「車両走行中」は、例えば車速センサ３１２の検出値が０を越えたときから、車速センサ３１２の検出値が０となるまでの間である。前記「車両停止時」は、例えば車速センサ３１２の検出値が０となった後、加速度センサ１１０の出力値が安定したときである。この「安定したとき」は、加速度センサ１１０の検出値の単位時間あたりの変化量が所定量以下となったときとしてもよいし、車速センサ３１２の検出値が０になってから所定時間経過後としてもよい。前記「車両停止時」、「所定量」、及び「所定時間」は、設計者による実験やシミュレーションに基づき適宜設定することが可能である。
【００４０】
一方、車両停止中は、車両３００が移動して路面角度θｒが変化することは稀である。そのため、車両停止中の合計角度θの変化を車両姿勢角度θｖの変化と推定することができる。そこで、調節指示部１０４２は、車両停止中の合計角度θの変化に対して調節信号を生成し、出力する。具体的には、車両停止中、角度演算部１０４１は加速度センサ１１０の検出値から得られる現在の合計角度θから路面角度θｒの基準値を減算して、車両姿勢角度θｖを得る。得られた車両姿勢角度θｖは、新たな基準値としてメモリ１０８に保持される。車両姿勢角度θｖの計算は、例えば所定のタイミングで繰り返し実行される。なお、角度演算部１０４１は、例えば前回検出した合計角度θと現在の合計角度θとの差分を算出し、この差分を車両姿勢角度θｖの基準値に算入して新たな車両姿勢角度θｖの基準値を算出してもよい。
【００４１】
そして、調節指示部１０４２は、得られた車両姿勢角度θｖ（更新した車両姿勢角度θｖの基準値であってもよい）を用いて調節信号を生成する。例えば、調節指示部１０４２は、予めメモリ１０８に記録されている車両姿勢角度θｖと光軸角度θｏとを対応付けた変換テーブルを用いて光軸角度θｏを決定し、この光軸角度θｏとなるよう光軸Ｏの調節を指示する調節信号を生成する。そして、送信部１０６を介してレベリングアクチュエータ２２６に調節信号を出力する。前記「車両停止中」は、例えば加速度センサ１１０の出力値が安定したとき（車両停止時）から車速センサ３１２の検出値が０を越えるまでの期間である。前記「車両停止中」は、設計者による実験やシミュレーションに基づき適宜設定することが可能である。
【００４２】
また、車両３００の加速時及び／又は減速時、例えば車両の発進時あるいは停止時を含む所定時間、角度演算部１０４１は、車両上下方向の加速度を第１軸とし車両上下方向の加速度を第２軸とした座標に、記録した検出値を例えば経時的にプロットする。そして、得られたプロットから、直線近似式を連続的若しくは所定時間毎に算出する。その後、角度演算部１０４１は、得られた直線近似式の傾きとメモリ１０８に保持されている傾きの基準値とから、車両姿勢角度θｖを算出する。
【００４３】
調節指示部１０４２は、得られた車両姿勢角度θｖに基づいて光軸位置を補正する調節信号を生成し、レベリングアクチュエータ２２６に光軸角度θｏの補正を指示する。また、メモリ１０８に保持されている車両姿勢角度θｖの基準値を補正する。例えば、調節指示部１０４２は、直線近似式の傾きから得られた車両姿勢角度θｖに対応する光軸角度θｏとなるように、レベリングアクチュエータ２２６に光軸角度θｏの調節を指示する。また、メモリ１０８に保持されている車両姿勢角度θｖの基準値を、直線近似式の傾きから得られた車両姿勢角度θｖに書き換える。
【００４４】
これにより、路面角度θｒの基準値及び車両姿勢角度θｖの基準値を繰り返し書き換えることで加速度センサ１１０の検出誤差等が基準値に積み重なって、オートレベリング制御の精度が低下してしまうことを抑制することができる。
【００４５】
なお、制御部１０４は、現在の直線の傾きと前回の直線の傾きとの差を計算し、この差を基準値へ積算していき、初回計算からの積算値を用いて補正処理を実行してもよい。また、制御部１０４は、得られた直線近似式の傾きと前回の計算で得られた直線近似式の傾きとを比較し、直線近似式の傾きの変化が検出された場合、当該傾きの変化に基づいて補正処理を実行してもよい。
【００４６】
例えば、メモリ１０８に保持されている車両姿勢角度θｖの基準値がｐ°であり、直線近似式の傾きの変化の初回計算からの積算値がｑ°であったとする。あるいは、直近の車両停止時に保持していた車両姿勢角度θｖの基準値とその後の発進時、すなわち今回の発進時に保持していた車両姿勢角度θｖの基準値との差がｐ°であり、前回の発進時に算出した直線近似式と今回の発進時に算出した直線近似式の傾きの差がｑ°であったとする。この場合、調節指示部１０４２は、車両姿勢角度θｖの誤差（ｐ−ｑ）°だけ光軸角度θｏ及び車両姿勢角度θｖの基準値を補正する。
【００４７】
また、調節指示部１０４２は、上述した光軸位置の補正において、光軸角度θｏを水平方向若しくは初期設定位置に近づけ、車両姿勢角度θｖの基準値を０°若しくは初期値に近づけるように補正してもよい。
【００４８】
（補正制限制御）
続いて、上述した補正処理を制限する制御について説明する。図６（Ａ）は、車両走行中の車速の時間変化を模式的に示すタイミングチャートである。図６（Ｂ）は、図６（Ａ）の車速の変化に対応する、座標へプロットされる検出値数の時間変化を模式的に示すタイミングチャートである。図６（Ａ）の縦軸は車速Ｖを示す。図６（Ｂ）の縦軸は座標へプロットされる検出値数Ｐを示す。図６（Ａ）及び図６（Ｂ）の横軸は時間ｔを示す。図６（Ｂ）における黒点は、補正処理が実行されるタイミングを示す。
【００４９】
例えば車両３００の発進から、その後の最初の停止までを１回の走行とした場合に、各走行における走行時間に関係なく走行毎に上述した補正処理を実施すると、レベリングアクチュエータ２２６の駆動回数が著しく増加し、レベリングアクチュエータ２２６の寿命が極端に短くなってしまうおそれがある。そこで、補正制限部１１２は、補正の回数増加を抑制する。
【００５０】
より詳細には、図６（Ａ）及び図６（Ｂ）に示すように、補正制限部１１２は、上述した座標へプロットされる加速度センサ１１０の検出値の数が所定の補正許可数Ｐ１になるまで補正を禁止する。例えば、加速度センサ１１０の検出値は、所定の時間間隔で繰り返しメモリ１０８に記憶される。これにより、レベリングＥＣＵ１００は、車両走行中の加速度センサ１１０の検出値を保持し続ける。また、補正制限部１１２は、ライトスイッチ３０４の操作等によりオートレベリング制御の実行指示がなされると、制御部１０４に対し補正禁止を指示する補正禁止信号を送信する。角度演算部１０４１は、補正制限部１１２から補正禁止信号が送信されている間は直線近似式の算出を停止する。また、調節指示部１０４２は、補正禁止信号を受信している間は上述した補正処理の実行を回避する。
【００５１】
補正制限部１１２は、メモリ１０８に記憶された検出値の数を監視し、メモリ１０８に記憶された検出値の数が補正許可数Ｐ１に達すると補正禁止信号の送信を停止する。角度演算部１０４１及び調節指示部１０４２は、補正禁止信号の受信が停止すると、直線近似式の算出及び補正処理をそれぞれ実行する。前記「補正禁止数Ｐａ」は、例えば、所望の直線近似式の導出精度が得られる最小数であり、設計者による実験やシミュレーションに基づき適宜設定することが可能である。なお、補正制限部１１２は、座標上の検出値数を監視してもよい。すなわち、前記「プロットされる加速度センサ１１０の検出値の数」は、メモリ１０８内の検出値数であってもよいし、座標上の検出値数であってもよい。
【００５２】
このように、検出値数が補正許可数Ｐ１に達するまで補正処理の実行が禁止されることで、走行毎に補正処理が実行されることを抑制できる。そのため、レベリングアクチュエータ２２６の駆動回数がいたずらに増加することを回避できる。なお、本実施形態は、走行毎の補正処理そのものを除外するものではなく、１回の走行時間が比較的長く、そのため一回の走行で検出値数が補正許可数Ｐ１に達する場合は、走行毎に補正処理が実行される状況も起こり得る。本実施形態は、このような状況も含めることができる。
【００５３】
補正制限部１１２は、補正禁止信号の送信を停止した後、メモリ１０８内に保持している加速度センサ１１０の検出値をリフレッシュする。メモリ１０８のリフレッシュにおいて、加速度センサ１１０の検出値が全て消去されてもよいが、補正処理の精度向上を図る上で、所定数の検出値が残され、残りの検出値データが消去されることが好ましい。また、メモリ１０８内の検出値から得られる直線上に位置する所定数の検出値が新たに生成され、この新たに生成された検出値以外の検出値が全て消去されることがより好ましい。新たに生成される検出値の数は、補正許可数Ｐ１未満である。メモリ１０８がリフレッシュされた後、補正制限部１１２は、検出値数の監視と、補正許可数Ｐ１を基準とした補正禁止信号の送信／停止の切替とを繰り返す。
【００５４】
補正制限部１１２は、車両３００の走行時間が所定の補正禁止時間Ｔ１を経過するまで補正を禁止してもよい。例えば、補正制限部１１２は、レベリングＥＣＵ１００内に設けられたタイマー（図示せず）を用いて、車両３００の走行時間を計測する（計測開始時間をｔ０とする）。そして、走行時間が予め定められた補正禁止時間Ｔ１を経過すると（時間ｔ１のタイミング）、補正禁止信号の送信を停止する。補正制限部１１２は、補正禁止信号の送信を停止した後、計測した走行時間をリセットして走行時間の計測を再び開始する。補正制限部１１２により補正禁止信号が送信されている間、加速度センサ１１０の検出値はメモリ１０８に記憶される。なお、補正制限部１１２により補正禁止信号が送信されている間、直線近似式の計算が繰り返し実行されてもよい。すなわち、補正処理の実施、非実施にかかわらず、加速度センサ１１０の検出値の保存、及び直線近似式の計算が車両走行中、常に実行されてもよい。
【００５５】
前記「走行時間」は、オートレベリング制御の開始後、あるいは前回の補正処理の実行後からの各走行における走行時間の積算値である。したがって、本実施形態によれば、走行毎に補正処理が実行されることを抑制できる。そのため、レベリングアクチュエータ２２６の駆動回数がいたずらに増加することを回避できる。なお、本実施形態は、走行毎の補正処理そのものを除外するものではなく、１回の走行で走行時間（走行継続時間）が補正禁止時間Ｔ１を経過する場合は、走行毎に補正処理が実行される状況も起こり得る。本実施形態は、このような状況も含めることができる。前記「補正禁止時間Ｔ１」は、例えば、座標へプロットされる加速度センサ１１０の検出値数が補正許可数Ｐ１に達するまでに要する時間に設定される。補正禁止時間Ｔ１は、設計者による実験やシミュレーションに基づき適宜設定することが可能である。
【００５６】
補正制限部１１２が、走行時間が補正禁止時間Ｔ１を経過するまで補正を禁止する場合、メモリ１０８のリフレッシュの実行タイミングは、走行時間が補正禁止時間Ｔ１を経過したときでもよいし、イグニッションのオン／オフが切り替えられたときでもよいし、車両姿勢角度θｖ及び／又はその基準値が調整、変更されたときでもよい。
【００５７】
図７は、実施形態１に係る車両用灯具の制御装置により実行されるオートレベリング制御のフローチャートである。このフローは、たとえばライトスイッチ３０４によってオートレベリング制御モードの実行指示がなされ、且つイグニッションがオンにされた場合に制御部１０４により所定のタイミングで繰り返し実行され、イグニッションがオフにされた場合に終了する。なお、ここでは、補正制限部１１２が車両走行時間に基づいて補正処理を制限する場合を例に挙げて説明する。
【００５８】
まず、制御部１０４は、車両走行中であるか判断する（Ｓ１０１）。車両走行中である場合（Ｓ１０１のＹ）、補正制限部１１２は、車両３００の走行時間が補正禁止時間Ｔ１を経過したか判断する（Ｓ１０２）。走行時間が補正禁止時間Ｔ１を経過していない場合（Ｓ１０２のＮ）、制御部１０４は、加速度センサ１１０の検出値をメモリ１０８に保存し（Ｓ１０３）、本ルーチンを終了する。走行時間が補正禁止時間Ｔ１を経過した場合（Ｓ１０２のＹ）、補正制限部１１２は補正禁止信号の送信を停止し、計測時間をリセットする（Ｓ１０４）。これを受けて、制御部１０４は、加速度センサ１１０の複数の検出値から直線近似式を算出する（Ｓ１０５）。そして、直線近似式の傾きを用いて光軸角度θｏ及び車両姿勢角度θｖの基準値を補正し（Ｓ１０６）、本ルーチンを終了する。
【００５９】
車両走行中でない場合（Ｓ１０１のＮ）、制御部１０４は、車両停止時であるか判断する（Ｓ１０７）。車両停止時である場合（Ｓ１０７のＹ）、制御部１０４は、現在の合計角度θから車両姿勢角度θｖの基準値を減じて路面角度θｒを算出する（Ｓ１０８）。そして、路面角度θｒの基準値を算出された路面角度θｒに更新し（Ｓ１０９）、本ルーチンを終了する。
【００６０】
車両停止時でない場合（Ｓ１０７のＮ）、この場合は車両停止中であることを意味するため、制御部１０４は、現在の合計角度θから路面角度θｒの基準値を減じて車両姿勢角度θｖを算出する（Ｓ１１０）。続いて、制御部１０４は、算出された車両姿勢角度θｖを用いて光軸角度θｏを調節する（Ｓ１１１）。そして、制御部１０４は、車両姿勢角度θｖの基準値を算出された車両姿勢角度θｖに更新し（Ｓ１１２）、本ルーチンを終了する。
【００６１】
以上説明したように、本実施形態に係る車両用灯具の制御装置としてのレベリングＥＣＵ１００において、補正制限部１１２は、車両前後方向の加速度の変化量と車両上下方向の加速度の変化量との比率を用いた光軸位置の補正処理の回数増加を抑制している。これにより、レベリングアクチュエータ２２６の駆動回数の増加を抑制して、レベリングアクチュエータ２２６の寿命短縮を軽減させることができる。
【００６２】
（実施形態２）
実施形態２に係る車両用灯具の制御装置は、補正回数の増加に応じて補正許可数あるいは補正禁止時間を変更する点が異なることを除き、実施形態１の構成と共通する。以下、実施形態２に係る車両用灯具の制御装置について、実施形態１と異なる構成を中心に説明する。なお、実施形態１と同様の構成については同一の符号を付し、その説明及び図示は適宜省略する。
【００６３】
図８（Ａ）は、実施形態２に係る車両用灯具の制御装置における、車両走行中の車速の時間変化を模式的に示すタイミングチャートである。図８（Ｂ）は、図８（Ａ）の車速の変化に対応する、座標へプロットされる検出値数の時間変化を模式的に示すタイミングチャートである。図８（Ａ）の縦軸は車速Ｖを示す。図８（Ｂ）の縦軸は座標へプロットされる検出値数Ｐを示す。図８（Ａ）及び図８（Ｂ）の横軸は時間ｔを示す。図８（Ｂ）における黒点は、補正処理が実行されるタイミングを示す。
【００６４】
本実施形態に係るレベリングＥＣＵ１００において、補正制限部１１２は、補正回数の増加に応じて補正許可数を増加させる。例えば、補正制限部１１２は、１回目の補正処理については、メモリ１０８に記憶された検出値の数が補正許可数Ｐ１に達すると補正禁止信号の送信を停止して補正を許可する。なお、補正制限部１１２は、座標上の検出値数を監視してもよい。しかしながら、２回目の補正処理については、検出値が補正許可数Ｐ１に達しても（時間ｔ２のタイミング）補正を許可せず、補正許可数Ｐ１よりも大きい補正許可数Ｐ２に達すると補正を許可する。以後、補正処理の実行回数の増加に合わせて補正許可数が増加していく。
【００６５】
このように、補正回数の増加に応じて補正許可数を増加させることで、レベリングアクチュエータ２２６の駆動回数の増加をより抑制することができる。したがって、レベリングアクチュエータ２２６の寿命短縮をより軽減させることができる。なお、補正制限部１１２は、例えばイグニッションのオン／オフが切り替えられたときに、補正許可数を初期値（すなわち補正許可数Ｐ１）にリセットする。
【００６６】
補正制限部１１２は、補正回数の増加に応じて補正禁止時間の長さを延ばしてもよい。例えば、補正制限部１１２は、１回目の補正処理については、走行時間が計測開始（時間ｔ０のタイミング）から補正禁止時間Ｔ１を経過すると（時間ｔ１のタイミング）補正を許可する。しかしながら、２回目の補正処理については、走行時間が計測開始（時間ｔ１のタイミング）から補正禁止時間Ｔ１を経過しても（時間ｔ３のタイミング）補正を許可せず、補正禁止時間Ｔ１よりも長い補正禁止時間Ｔ２を経過すると（時間ｔ４のタイミング）補正を許可する。以後、補正処理の実行回数の増加に合わせて補正禁止時間を延長していく。
【００６７】
このように、補正回数の増加に応じて補正禁止時間を延ばすことでも、レベリングアクチュエータ２２６の駆動回数の増加をより抑制することができる。したがって、レベリングアクチュエータ２２６の寿命短縮をより軽減させることができる。なお、補正制限部１１２は、例えばイグニッションのオン／オフが切り替えられたときに、補正禁止時間を初期値（すなわち補正禁止時間Ｔ１）にリセットする。
【００６８】
（変形例）
上述した実施形態２に係るレベリングＥＣＵ１００には、以下の変形例を挙げることができる。図８（Ｃ）は、実施形態２の変形例に係る車両用灯具の制御装置における、図８（Ａ）の車速の変化に対応する、座標へプロットされる検出値数の時間変化を模式的に示すタイミングチャートである。図８（Ｃ）の縦軸は座標へプロットされる検出値数Ｐを示す。図８（Ｃ）の横軸は時間ｔを示す。図８（Ｃ）における黒点は、補正処理が実行されるタイミングを示す。
【００６９】
本変形例に係るレベリングＥＣＵ１００において、補正制限部１１２は、加速度センサ１１０の検出値の数が補正許可数になっても補正処理の実行を回避する補正回避制御を実行する。この補正回避制御は、前回の補正処理の実行後から検出値の数が補正許可数Ｐ１になった回数が、所定の解除回数になるまで実行される。また、補正制限部１１２は、補正回数の増加に応じて解除回数を増加させる。例えば、補正制限部１１２は、補正処理の実行が未実施の状態では解除回数を１回に設定し（時間ｔ０のタイミング）、補正回避制御の実行と加速度センサ１１０の検出値数の監視とを開始する。そして、メモリ１０８に記憶された検出値数が補正許可数Ｐ１に達すると（時間ｔ１のタイミング）、検出値数が補正許可数Ｐ１になった回数が解除回数１回を満たすため、補正制限部１１２は補正回避制御の実行を停止し、補正禁止信号の送信を停止して補正を許可する。補正制限部１１２は、補正禁止信号の送信を停止した後、メモリ１０８内に保持している加速度センサ１１０の検出値を検出値数Ｐ１’まで減じるリフレッシュを実施する。なお、補正制限部１１２は、検出値数を０（Ｐ０）まで減じてもよい。
【００７０】
メモリ１０８がリフレッシュされた後、補正制限部１１２は、解除回数を２回に増加させて、補正回避制御と検出値数の監視とを再開する。その後、検出値数が補正許可数Ｐ１に達すると（時間ｔ２のタイミング）、前回の補正処理後から検出値数が補正許可数Ｐ１になった回数が解除回数２回を満たさないため、補正制限部１１２は補正回避制御を停止せず、補正禁止信号の送信を継続する。これにより補正処理の実行が回避される。そして、メモリ１０８がリフレッシュされ、検出値数の監視が再開される。その後、検出値数が補正許可数Ｐ１に達すると（時間ｔ４のタイミング）、前回の補正処理後から検出値数が補正許可数Ｐ１になった回数が解除回数２回を満たすため、補正制限部１１２は補正回避制御の実行を停止し、補正禁止信号の送信を停止して補正を許可する。以後、補正処理の実行回数の増加に合わせて解除回数が増加していく。
【００７１】
このように、補正回数の増加に応じて解除回数を増加させることで、レベリングアクチュエータ２２６の駆動回数の増加をより抑制することができる。したがって、レベリングアクチュエータ２２６の寿命短縮をより軽減させることができる。なお、補正制限部１１２は、例えばイグニッションのオン／オフが切り替えられたときに、解除回数を初期値にリセットする。
【００７２】
本発明は、上述の各実施形態に限定されるものではなく、各実施形態を組み合わせたり、当業者の知識に基づいて各種の設計変更などの変形を加えることも可能であり、そのような組み合わせられ、もしくは変形が加えられた実施形態も本発明の範囲に含まれる。上述の各実施形態同士、及び上述の各実施形態と変形との組合せによって生じる新たな実施形態は、組み合わされる実施形態及び変形それぞれの効果をあわせもつ。
【００７３】
なお、上述の実施形態に係る発明は、以下に記載する項目によって特定されてもよい。
［項目１］
光軸を調節可能な車両用灯具と、
加速度センサと、
前記車両用灯具の光軸調節を制御するための制御装置と、を備え、
前記制御装置は、
水平面に対する車両の傾斜角度を導出可能な加速度センサの検出値を受信するための受信部と、
車両停止中の前記傾斜角度の変化に対して車両用灯具の光軸位置の調節を指示する調節信号を出力し、車両走行中の前記傾斜角度の変化に対して前記調節信号の出力を回避するか光軸位置の維持を指示する維持信号を出力し、走行中の車両の加速時及び減速時の少なくとも一方における、車両前後方向の加速度の変化量と車両上下方向の加速度の変化量との比率を用いて光軸位置を補正する調節信号を生成するための制御部と、
前記補正の回数増加を抑制する補正制限部と、
を備えることを特徴とする車両用灯具システム。
【符号の説明】
【００７４】
Ｐ１，Ｐ２  補正許可数、  Ｔ１，Ｔ２  補正禁止時間、  １０  灯具ユニット、  １００  レベリングＥＣＵ、  １０２  受信部、  １０４  制御部、  １１０  加速度センサ、  １１２  補正制限部、  ２２６  レベリングアクチュエータ、  ３００  車両。
【図１】
2014100979.tif 000003
【図２】
2014100979.tif 000004
【図３】
2014100979.tif 000005
【図４】
2014100979.tif 000006
【図５】
2014100979.tif 000007
【図６】
2014100979.tif 000008
【図７】
2014100979.tif 000009
【図８】
2014100979.tif 000010